(57)【要約】【課題】複数の熱出力機能を有する利用側熱交換器において、単一の一次側流路に対して各々の二次側流路を並列に配置して利用側熱交換器を単一ユニットに構成し、器具の小型化・軽量化・高効率化を図る。【解決手段】給湯用熱交換器２３を備え、温水を循環させる給湯循環回路２を一次側流路とし、複数の熱出力機能を有する利用側熱交換器の各々の二次側流路を給湯循環回路２に対し並列接続して配置させ、各々の利用側熱交換器の一次側流路を流れる温水温度が略同一とすることができ二次側流路との熱交換効率向上を図る。また、利用側熱交換器２４を、例えば二次側流路を形成する伝熱プレートに仕切りを設けて二次側流路を複数の熱出力機能に応じて各部屋に隔離した構造のプレート式熱交換器で単一ユニットとして形成することで器具の小型化・軽量化を図ることができた。【選択図】図１
2008082633.tif 000002
【特許請求の範囲】
【請求項１】
給水路より供給される水を加熱し出湯路に湯水を供給する給湯用熱交換器を備え、循環ポンプを介して給湯用熱交換器から利用側熱交換器に至る給湯循環回路を形成するとともに、前記給湯循環回路から分岐し出湯路に至る給湯回路を形成し、前記給湯循環回路と前記給湯回路のどちらか一方を利用するか、または、前記給湯循環回路と前記給湯回路を同時に利用するかを選択できるようにし、前記利用側熱交換器の熱出力機能として複数設ける場合、前記給湯用熱交換器から供給される一次側の高温側温水が流れる単一の前記給湯循環回路に対して、前記利用側熱交換器の二次側の複数流路を各々並列に接続し、複数の熱出力機能を有する前記利用側熱交換器を単一ユニットとして形成するようにした給湯装置。
【請求項２】
出湯路の給湯循環回路からの分岐部は、単一ユニット化された利用側熱交換器の上流側に配置された請求項１記載の給湯装置。
【請求項３】
出湯路の給湯循環回路からの分岐部は、単一ユニット化された利用側熱交換器の下流側に配置された請求項１記載の給湯装置。
【請求項４】
利用熱交換器で複数の熱出力機能の内、二次側流路は浴槽に接続される風呂回路として形成される風呂用熱交換器として用い、また出湯路より分岐して前記風呂回路に接続された注湯流路から浴槽へ所定温度の湯を所定量供給する風呂お湯はり運転を実現する回路系を構成する場合、前記風呂回路中に前記風呂用熱交換器を通過して浴槽に供給される湯温を検出するための風呂往きサーミスタを設け、前記風呂お湯はり運転時には、浴槽水の温度を所定温度とするための前記注湯流路に供給するべき湯温を決定する動作制御を行う制御手段を有し、一方は前記注湯流路から供給された湯がそのまま浴槽へ、他方は前記注湯流路から供給された湯が前記風呂用熱交換器を通過してから浴槽へと二方向から注湯動作を行う請求項１〜３のいずれか１項記載の給湯装置。
【請求項５】
利用熱交換器で複数の熱出力機能の内、二次側流路は浴槽に接続される風呂回路として形成される風呂用熱交換器として用い、また出湯路より分岐して前記風呂回路に接続された注湯流路から浴槽へ所定温度の湯を所定量供給する風呂お湯はり運転を実現する回路系を構成する場合、前記風呂回路中に流路開閉手段を設け、前記風呂お湯はり運転時には、前記流路開閉手段を閉として前記風呂用熱交換器を経由させず、前記注湯流路から供給された湯がそのまま浴槽へと一方向から注湯動作を行う請求項１〜３のいずれか１項記載の給湯装置。
【請求項６】
利用熱交換器で複数の熱出力機能の内、二次側流路は浴槽に接続される風呂回路として形成される風呂用熱交換器として用い、また出湯路より分岐して前記風呂回路に接続された注湯流路から浴槽へ所定温度の湯を所定量供給する風呂お湯はり運転を実現する回路系を構成する場合、前記風呂回路中に前記風呂用熱交換器を迂回する風呂バイパス流路と、前記風呂用熱交換器を通過するか、前記風呂バイパス流路を通過するかの流路切り替えを行う風呂回路流路切替手段とを設け、前記風呂お湯はり運転時には、前記風呂回路流路切替手段を駆動して一方は前記注湯流路から供給された湯が流路切り替えされた前記風呂バイパス流路を通過して浴槽へ、他方は前記注湯流路から供給された湯がそのまま浴槽へと二方向から注湯動作を行う請求項１〜３のいずれか１項記載の給湯装置。
【請求項７】
複数の熱出力機能を有する単一ユニット化された利用側熱交換器にあって、一次側流路と二次側流路が交互に積層されて構成されるプレート式熱交換器を用い、二次側流路を形成する伝熱プレートは複数の熱出力機能に応じて二次側流路を隔離するための仕切りを有するプレート式熱交換器。
【請求項８】
仕切りは、所定の温度および所定の流量の高温側温水が一次側流路に流入した時に、熱出力機能の目的に応じて各々の二次側流路で得られる定格の熱出力が得られるように伝熱面積を最適化した場所に形成した伝熱プレートを有する請求項７記載のプレート式熱交換器。
【請求項９】
請求項１〜６のいずれか１項に記載の利用側熱交換器は、請求項７または請求項８に記載のプレート式熱交換器を使用した給湯装置。
【発明の詳細な説明】
【技術分野】
【０００１】
本発明は、燃焼バーナの燃焼熱等により加熱する給湯用熱交換器を供えた給湯装置に関し、特に、前記給湯用熱交換器で加熱された一次側としての高温の温水を循環ポンプによって循環させる給湯循環回路中に、二次側流路に熱を供給させるための利用側熱交換器を設けた構成において、前記利用側熱交換器の熱出力機能を複数設ける場合、一次側である単一の前記給湯循環回路に対して、前記利用側熱交換器の二次側の複数流路を各々並列に接続し、複数の利用側熱交換器としての機能を単一ユニットとして形成する給湯装置と利用側熱交換器に使用するプレート式熱交換器に関するものである。
【背景技術】
【０００２】
従来この種の給湯装置としては、特許文献１のように、給湯暖房用風呂装置等の給湯複合装置を想定しており、温水を循環する第一の循環回路に温水搬送手段としての耐圧循環ポンプを設け、暖房用の強制対流型熱交換器としての第一の二重管熱交換器を上流側に設け、風呂追い焚き用の強制対流型熱交換器としての第二の二重管熱交換器を下流側に設けている。
【０００３】
従って、第一の循環回路の経路を短くできるため耐圧循環ポンプを小型にでき、第一と第二の二重管熱交換器も小型化できることから、装置を大幅に小さくできる。また高温の湯を循環させる際には、熱損失を抑制でき、低ランニングコストを実現できるという効果について述べられている。なお、強制対流型熱交換器としては特許文献１に記載の二重管熱交換器や、特許文献２に記載のプレート式熱交換器などが考えられる。
【特許文献１】特開２００５−１６４２３６号公報
【特許文献２】特開２０００−２５８０８５号公報
【発明の開示】
【発明が解決しようとする課題】
【０００４】
しかしながら、前記従来の給湯装置は、暖房用および風呂追い焚き用の強制対流型熱交換器を各々一個ずつ設ける必要があった。また第一の循環回路に対して、直列に上流側に暖房用の強制対流型熱交換器を、下流側に風呂追い焚き用の強制対流型熱交換器を設けているため、暖房運転と風呂追い焚き運転を同時に行う場合、上流側の暖房用の強制対流型熱交換器で二次側に多くの熱量が吸収された場合、下流側の風呂追い焚き用の強制対流型熱交換器では一次側に十分高温の温水を供給することができないため、風呂追い焚き用の強制対流型熱交換器での熱出力が十分に確保できないという課題があった。
【０００５】
前記従来の技術の課題に鑑み、本発明が解決しようとする課題は、風呂追い焚き用強制対流型熱交換器での熱出力を十分に確保するとともに、本体構成の簡素化、器具の小型化、器具の軽量化を実現し、さらに放熱ロスを軽減し、そして低ランニングコスト化を実現する給湯装置を提供することにある。
【課題を解決するための手段】
【０００６】
前記課題を解決するために、本発明の給湯装置は、給水路より供給される水を加熱する給湯用熱交換器を備え、前記給湯用熱交換器で加熱された一次側としての高温の温水を循環ポンプによって循環させる給湯循環回路中に、二次側流路に熱を供給させるための利用側熱交換器を設けた構成にあって、前記利用側熱交換器の熱出力機能を複数設ける場合、一次側である高温側温水が流れる単一の前記給湯循環回路に対して、前記利用側熱交換器の二次側の複数流路を各々並列に接続し、複数の利用側熱交換器としての機能を単一ユニットとして形成したものである。
【０００７】
また本発明のプレート式熱交換器は、利用側熱交換器を単一ユニットとして形成するプレート式熱交換器にあって、複数の二次側流路を形成する伝熱プレートは、複数の熱出力機能に応じた二次側流路を成す各部屋に隔離するための仕切りを設けることで実現することができる。
【０００８】
これによって、従来の給湯装置のように暖房用および風呂追い焚き用の各々の強制対流型熱交換器を別個に設けることが不要となり、本体構成の簡素化、器具の小型化、器具の軽量化を実現することができる。
【発明の効果】
【０００９】
本発明の給湯装置は、本体構成の簡素化により器具の小型化、軽量化を実現するとともに、利用側熱交換器での放熱ロスを軽減し、二次側流路との熱交換効率向上を図ることができる。
【００１０】
本発明のプレート式熱交換器は、放熱ロスを軽減でき二次側流路との熱交換効率向上を図ることが可能となり、本体構成の簡素化、器具の小型化、器具の軽量化と低ランニングコスト化を実現できる。
【発明を実施するための最良の形態】
【００１１】
第１の発明は、給水路より供給される水を加熱し出湯路に湯水を供給する給湯用熱交換器を備え、循環ポンプを介して前記給湯用熱交換器から利用側熱交換器に至る給湯循環回路を形成するとともに、前記給湯循環回路から分岐し出湯路に至る給湯回路を形成し、前記給湯循環回路と前記給湯回路のどちらか一方を利用するか、または、前記給湯循環回路と前記給湯回路を同時に利用するかを選択できるようにし、前記利用側熱交換器の熱出力機能として複数設ける場合、前記給湯用熱交換器から供給される一次側の高温側温水が流れる単一の前記給湯循環回路に対して、前記利用側熱交換器の二次側の複数流路を各々並列に接続し、複数の熱出力機能を有する前記利用側熱交換器を単一ユニットとして形成することで、本体構成の簡素化により器具の小型化、軽量化を実現するとともに、前記利用側熱交換器での放熱ロスを軽減し、二次側回路との熱交換効率の向上を図ることができる。
【００１２】
第２の発明は、特に第１の発明の出湯路の給湯循環回路からの分岐部を、利用側熱交換器の上流側に配置したことを特徴とするもので、分岐部を給湯用熱交換器のすぐ下流に配置させることで、給湯回路を単独で利用する場合には、出湯路の流路圧力損失を小さくでき、かつ早く出湯路に湯を供給することができる。
【００１３】
第３の発明は、特に第１の発明の出湯路の給湯循環回路からの分岐部を、利用側熱交換器の下流側に配置したことを特徴とするもので、分岐部を利用側熱交換器の下流に配置させることで、給湯回路と給湯循環回路を同時に利用する場合には、前記第２の発明に比べて給湯循環回路により大流量を供給することができるので、利用側熱交換器により多くの熱量を供給することができる。
【００１４】
第４の発明は、特に第１〜第３のいずれか１つの発明の利用側熱交換器で複数の熱出力機能の内、二次側流路は浴槽に接続される風呂回路として形成される風呂用熱交換器として用い、また出湯路より分岐して前記風呂回路に接続された注湯流路から浴槽へ所定温度の湯を所定量供給する風呂お湯はり運転を実現する回路系を構成する場合、前記風呂回路中に前記風呂用熱交換器を通過して浴槽に供給される湯温を検出するための風呂往きサーミスタを設け、前記風呂お湯はり運転時には、浴槽水の温度を所定温度とするための前記注湯流路に供給するべき湯温を決定する動作制御を行う制御手段を有し、一方は前記注湯
流路から供給された湯がそのまま浴槽へ、他方は前記注湯流路から供給された湯が前記風呂用熱交換器を通過してから浴槽へと二方向から注湯動作を行う機能を有することを特徴としたもので、制御手段は浴槽水の温度を所定温度とするために注湯流路に供給するべき湯の制御温度を計算することができる。
【００１５】
第５の発明は、特に第１〜第３のいずれか１つの発明の利用側熱交換器で複数の熱出力機能の内、二次側流路は浴槽に接続される風呂回路として形成される風呂用熱交換器として用い、また出湯路より分岐して前記風呂回路に接続された注湯流路から浴槽へ所定温度の湯を所定量供給する風呂お湯はり運転を実現する回路系を構成する場合、前記風呂回路中に流路開閉手段を設け、前記風呂お湯はり運転時には、制御手段は前記流路開閉手段を閉として前記風呂用熱交換器を通過させず、前記注湯流路から供給された湯がそのまま浴槽へと一方向から注湯動作を行う機能を有することを特徴としたもので、注湯動作時に前記風呂用熱交換器を通過させない構成とすることで、制御手段は注湯流路を流れる湯の温度をそのまま所定の浴槽水温度とでき注湯湯温制御を精度良く行うことができる。
【００１６】
第６の発明は、特に第１〜第３のいずれか１つの発明の利用側熱交換器で複数の熱出力機能の内、二次側流路は浴槽に接続される風呂回路として形成される風呂用熱交換器として用い、また出湯路より分岐して前記風呂回路に接続された注湯流路から浴槽へ所定温度の湯を所定量供給する風呂お湯はり運転を実現する回路系を構成する場合、前記風呂回路中に前記風呂用熱交換器を迂回する風呂バイパス流路と、前記風呂用熱交換器を通過するか前記風呂バイパス流路を通過するかの流路切り替えを行う風呂回路流路切替手段とを設け、前記風呂お湯はり運転時には、制御手段は前記風呂回路流路切替手段を駆動して一方は前記注湯流路から供給された湯が流路切り替えされた前記風呂バイパス流路を通過して浴槽へ、他方は前記注湯流路から供給された湯がそのまま浴槽へと二方向から注湯を行う機能を有することを特徴としたもので、前記第５の発明と同様に、制御手段は注湯流路を流れる湯の温度をそのまま所定の浴槽水温度とでき注湯湯温制御を精度良く行えることに加え、二方向より注湯動作を行うので前記第５の発明よりも風呂お湯はり運転動作にかかる時間を短縮させることができる。
【００１７】
第７の発明は、複数の熱出力機能を有する単一ユニット化された利用側熱交換器にあって、一次側流路と二次側流路が交互に積層されて構成されるプレート式熱交換器を用い、二次側流路を形成する伝熱プレートは、複数の熱出力機能に応じた各二次側流路に隔離するための仕切りを形成したたことを特徴とするもので、二次側流路を形成する伝熱プレートに仕切りを設けることで、単一の一次側流路に対して複数の二次側流路が並列接続された単一ユニットとしての利用側熱交換器を、単一のプレート式熱交換器の形状として、熱交換効率が高く小型化された形状で実現することができる。
【００１８】
第８の発明は、特に第７の発明の仕切りを、所定の温度および所定の流量の高温側温水が一次側流路に流入した時に、熱出力機能の目的に応じて各々の二次側流路で得られる定格の熱出力が得られるように伝熱面積を最適化した場所に形成したことを特徴とするもので、伝熱面積を最適化して規定することで、複数の二次側流路で同時に熱交換が行われる場合には、各々の二次側流路を流れる流体の温度および流量条件によって、一次側から供給される熱量が一方の二次側流路に偏らないようにすることができる。
【００１９】
第９の発明は、特に第１発明〜第６の発明のいずれか１つの発明に記載の利用側熱交換器に、第７または第８の発明に記載のプレート式熱交換器を使用したもので、給湯装置として本体構成の簡素化、器具の小型化、器具の軽量化を実現することができる。
【００２０】
以下、本発明の実施の形態について、図面を参照しながら説明する。なお、本実施の形態によって本発明が限定されるものではない。
【００２１】
（実施の形態１）
図１は、本発明の第１、第３、第４、第５、および第６の各実施例における給湯装置の構成図を示すものである。
【００２２】
図１において、給水路１より供給される水を燃焼バーナ３４の燃焼により加熱し、所定の温度に上昇させた後、出湯路３に供給し、前記給水路１と前記出湯路３を連通して形成したバイパス通路４から前記給水路１より供給される水の一部をバイパス制御弁９を介して供給することで所望温度の温水に調整し、出湯栓１３より出湯する給湯回路を構成している。
【００２３】
そして、出湯栓１３が開かれて入水流量センサ５で所定流量（例えば２．８L／ｍｉｎ）以上の入水流量が検出されると、燃焼バーナ３４は燃料ガス元弁３２、燃料ガス比例制御弁２７が配設された燃料ガス供給路２１より燃料ガスが供給され、燃焼用ファン３１により燃焼用空気が供給されて、予め定められたシーケンスに従い燃焼動作が行われる。
【００２４】
ここで、前記入水流量センサ５としては、例えば通水流量に応じて流路中に設けた羽根車が回転し、その回転数に応じた出力パルスで実流量を検出する流量センサの構造が考えられる。そして、燃焼バーナ３４の燃焼により発生する燃焼ガスは給湯用熱交換器２３を内部に有する燃焼室２２ａを通って排気口２２から装置外に排出される。
【００２５】
また、循環ポンプ７を介して利用側熱交換器２４の一次側流路に、給湯用熱交換器２３で加熱された高温水を供給した後、給湯用熱交換器２３の上流側の給水路１に戻し、そして給湯用熱交換器２３を通り循環ポンプ７を介して利用側熱交換器２４に至る給湯循環回路２を構成している。この給湯循環回路２は、利用側熱交換器２４の一次側流路として高温水を供給することで利用側熱交換器２４の二次側流路に接続された負荷に熱量を供給することが可能である。
【００２６】
ここでは利用側熱交換器２４の機能として、暖房や浴室乾燥等を行う暖房端末機に温水を供給するための暖房回路４２を二次側流路とする暖房用熱交換器２５と、浴槽６９の浴槽水６８を加熱する風呂回路６２を二次側流路とする風呂用熱交換器２６との２つの熱出力機能を設けた場合を示している。
【００２７】
特に本実施の形態では、暖房用熱交換器２５と風呂用熱交換器２６の２つの熱出力機能を実現するために、単一の一次側流路である給湯循環回路２に対して各々の二次側流路である暖房回路４２および風呂回路６２を並列に接続し、単一ユニットとして利用側熱交換器２４を形成することで、本体構成の簡素化により器具の小型化、軽量化を実現するとともに、一次側流路を単一で形成できるので、その分だけ放熱面積を小さく構成でき、放熱ロスを軽減し、二次側流路との熱交換効率の向上を図ることができる。
【００２８】
ここで単一ユニットとして複数の熱出力機能を単一ユニットとして形成した利用側熱交換器２４の具体的な構成について述べる。
【００２９】
図２−１は、本発明の実施の形態におけるプレート式熱交換器の構造図の一例を示すものである。プレート式熱交換器の詳細な構造および製造方法については、例えば特許文献２では、凹凸を有する一次側流路を形成する伝熱プレートと二次側流路を形成する伝熱プレートとをロー材を介して重ね合わせ、真空炉で加熱することで加熱ロー接し、製造や組み立てが簡易にできてコストを軽減することができるという内容が述べられている。
【００３０】
図２−１においては、各伝熱プレートが有する凹凸、ロー材、製造方法などの詳細は、
例えば特許文献２に記載された内容を適用するものとして省略し、本発明に関する構造のみを簡略化して示している。図２−１において、天板１０３には二次側流路継手１０１と一次側流路継手１０２が接続されている。一次側流路継手１０２は図１における給湯循環回路２が、二次側流路Ａの二次側流路継手１０１には図１における暖房回路４２が、二次側流路Ｂの二次側流路継手１０１には図１における風呂回路６２が、それぞれ接続される。
【００３１】
一次側流路と二次側流路Ａおよび二次側流路Ｂの温水の流れ方向は、図２−１に示すように互いに逆向きで対向させている。図２−１のＡ−Ａ線断面またはＢ−Ｂ線断面は、二次側流路継手１０１と一次側流路継手１０２の部分を垂直に切断した形状を示している。天板１０３から底板１０４に至るまで、一次側流路と二次側流路の各部屋は二次側伝熱プレート１０６と一次側伝熱プレート１０５とを隔てて交互に配置されている。二次側流路はさらに図２−１のＣ−Ｃ線断面のように、仕切り１０７で二次側流路Ａと二次側流路Ｂの二つの部屋に分割されている。
【００３２】
図２−２は、一次側伝熱プレート１０５の構造を示したものである。図２−２のＤ−Ｄ線断面またはＥ−Ｅ線断面において、一次側流路継手穴１０９は一次側流路継手１０２につながり、一次側流路を形成する。二次側流路継手穴１０８には一次側流路と二次側流路を隔離する必要があるため、二次側流路閉塞折り返し部１１０が設けられている。
【００３３】
図２−３は、二次側伝熱プレート１０６の構造を示したものである。Ｆ−Ｆ線断面またはＧ−Ｇ線断面において、二次側流路継手穴１１１は二次側流路継手１０１につながり、二次側流路を形成する。一次側流路継手穴１１２には一次側流路と二次側流路を隔離する必要があるため、一次側流路閉塞折り返し部１１３が設けられている。さらに二次側流路を二つの部屋に分離させるため、仕切り１０７が設けられている。
【００３４】
例えば、仕切り１０７は二次側伝熱プレート１０６の製造過程で曲げ工程を入れることで一体に形成することができる。二次側伝熱プレート１０６に設ける仕切り１０７の位置を、利用側熱交換器２４の複数の熱出力機能に応じて決定することで利用側熱交換器２４での二次側流路への熱交換効率を最適化することができる。
【００３５】
例えば、暖房用熱交換器２５の定格時の熱出力を１２５００ｋｃａｌ／ｈ、風呂用熱交換器２６の定格時の熱出力を７５００ｋｃａｌ／ｈとすると、二次側伝熱プレート１０６において、面積比で５：３となる部分に仕切り１０７を一体に設け、それぞれ二次側流路Ａと二次側流路Ｂに対応させるとすると、二次側流路Ａを暖房用熱交換器２５の二次側流路として、二次側流路Ｂを風呂用熱交換器２６の二次側流路として用いることができる。
【００３６】
これらの一次側伝熱プレート１０５と二次側伝熱プレート１０６とをロー材を介して、底板１０４と天板１０３の間に交互に重ね、特許文献２に記載のように真空炉で加熱ロー接させることで、比較的製造や組立てが簡易にできる。
【００３７】
以上のように、図２−１に示したプレート式熱交換器を単一ユニット化された利用側熱交換器２４として用いると、単一の一次側流路（給湯循環回路２）に対し、二次側流路Ａ（暖房回路４２）と二次側流路Ｂ（風呂回路６２）は各々並列に配置されるため、一次側流路を流れる温水温度は略同一とすることができる。すなわち、単一の一次側である給湯循環回路に対して、複数の利用側熱交換器の二次側流路を各々並列に接続した構成となるので、各々の利用側熱交換器の一次側流路を流れる温水温度は略同一とすることができるため、放熱ロスを軽減でき二次側流路との熱交換効率向上を図ることが可能となり、低ランニングコスト化を実現する給湯装置を提供することができる。
【００３８】
また、伝熱面積を最適化して規定でき、複数の二次側流路で同時に熱交換が行われる場合には、各々の二次側流路を流れる流体の温度および流量条件によって、一次側流路から供給される熱量がどちらか一方の二次側流路に偏らないようにすることができる。
【００３９】
さて、再び図１において、前記出湯路３は、前記給湯循環回路２において、複数の熱出力機能を単一ユニットとして形成された利用側熱交換器２４の下流側から分岐した状態としている。
【００４０】
このように給湯回路としての前記出湯路３の前記給湯循環回路２からの分岐部を単一ユニット化された前記利用側熱交換器２４の下流に配置させることで、前記給湯回路と前記給湯循環回路２を同時に使用する場合には、前記給湯循環回路２において前記利用側熱交換器２４の一次側流路により多くの高温水を供給することができるので、前記利用側熱交換器２４の二次側流路により多くの熱量を供給することができるという特徴を有する。
【００４１】
一方、図３は、本発明の第１、第２、第４、第５、および第６の各実施例における給湯装置の構成図を示すものである。
【００４２】
図３において、本実施例は、図１に示す第１、第３、第４、第５、および第６の実施例における給湯装置と異なるところは、前記出湯路３を前記給湯循環回路２において、複数の熱出力機能を単一ユニットとして形成された利用側熱交換器２４の上流側から分岐した構成であり、それ以外の同一の構成並びに作用効果を奏するところには同一符号を付して詳細な説明を省略し、異なるところを中心に説明する。
【００４３】
このように前記出湯路３の前記給湯循環回路２からの分岐部を単一ユニット化された前記利用側熱交換器２４の上流に配置させることで、給湯回路を単独で利用する場合には、前記出湯路３は前記利用側熱交換器２４の一次側流路を通過することなく、給湯用熱交換器２３を出た後の直ぐの高温水を得ることができるので、流路圧力損失を小さくでき、その分早く出湯栓１３に所望の湯を供給することができる。
【００４４】
図１または図３において、暖房回路４２は、単一ユニット化された前記利用側熱交換器２４のうちの前記暖房用熱交換器２５の二次側流路として形成され、浴室乾燥機などの暖房端末機の負荷を接続して閉回路を形成し暖房ポンプ５０で二次側温水を循環させることにより、前記暖房用熱交換器２５において一次側流路である前記給湯循環回路２を流れる高温水から熱量を供給される。
【００４５】
図１または図３において、風呂回路６２は、単一ユニット化された前記利用側熱交換器２４のうちの前記風呂用熱交換器２６の二次側流路として形成され、風呂ポンプ７５で浴槽水６８を循環させることにより、前記風呂用熱交換器２６において一次側流路である前記給湯循環回路２を流れる高温水から熱量を供給され、浴槽水６８を所望の温度まで沸き上げる風呂追い焚き運転を行うことができる。また、浴槽６９へ所定温度の湯を所定量供給する風呂お湯はり運転を行う注湯流路６１として、バイパス通路４の下流部の前記出湯路３から分岐し、風呂回路６２に連通する回路系を形成している。
【００４６】
以上のように構成された給湯装置について、以下その動作、作用を説明する。まず、給湯回路を用いる給湯単独運転時には、図１または図３において、シャワーやカランなどの出湯栓１３を開くと給水路１に配設した入水流量センサ５が通水を検知し、この通水信号で燃焼用ファン３１が動作し、同時に燃料ガス元弁３２、燃料ガス比例制御弁２７が開き、燃焼バーナ３４に燃料ガスと燃焼用空気が供給され、点火器２８による点火プラグ２９の火花放電により着火し、フレームロッド３０による着火認識動作によって燃焼が開始する。
【００４７】
また、燃焼負荷に応じた燃焼バーナ３４での燃焼量は、燃料ガス切替弁３３を開閉することで燃焼バーナ３４の燃焼部分を切替えることと、予め定められた燃料ガス比例制御弁２７の開度を調整することでの燃料ガス供給量と燃焼用ファン３１の回転数を調整することでの燃焼用空気供給量との組み合わせとで調整される。この燃焼ガスの排気動作過程において、給湯用熱交換器２３により給水路１より供給される水が加熱される。
【００４８】
給湯用熱交換器２３で加熱された湯水は、給湯用熱交換器２３を迂回するように給水路１と出湯路３を連通して設けたバイパス通路４に配設したバイパス制御弁９の開度を調整することで給水路１より供給される一部の水と混合される。諸動作制御を行う制御手段９１は、混合された湯を、浴室用リモートコントローラ９２や台所用リモートコントローラ９３などの遠隔操作用リモートコントローラで設定した所望設定温度になるように、出湯サーミスタ１７からの混合後の湯温を検出しながら、バイパス制御弁９の開度を調節し、出湯栓１３へと供給する。
【００４９】
具体的に出湯栓１３へ供給する湯の温度としては、３５℃〜６０℃程度である。図１において、出湯路３の給湯循環回路２からの分岐部が単一ユニット化された利用側熱交換器２４の下流側に配置される構成において、例えば出湯栓１３に４２℃の湯を供給する場合、例えば制御手段９１は給湯戻りサーミスタ１６で検出される湯の温度が７０℃になるように燃焼バーナ３４の燃焼量を調整し、出湯サーミスタ１７で検出される湯の温度が４２℃となるようにバイパス制御弁９の開度を調整する動作制御を行う。
【００５０】
一方、図３において出湯路３の給湯循環回路２からの分岐部が、単一ユニット化された利用側熱交換器２４の上流側に配置される構成において、例えば出湯栓１３に４２℃の湯を供給する場合、例えば制御手段９１は給湯往きサーミスタ１５で検出される湯の温度が７０℃になるように燃焼バーナ３４の燃焼量を調整し、出湯サーミスタ１７で検出される湯の温度が４２℃となるようにバイパス制御弁９の開度を調整する動作制御を行う。
【００５１】
図３の構成においては、出湯路３の給湯循環回路２からの分岐部を単一ユニット化された利用側熱交換器２４の上流側に配置されているので、図１の構成の場合よりも流路圧力損失を小さくでき、出湯路３により早く高温の湯を供給することができる。
【００５２】
このように、給湯回路を用いる給湯単独運転を選択する場合は、遠隔操作用リモートコントローラで所望温度を設定し、出湯栓１３を開くことで自動的に設定された所望温度の給湯温水を確保することができる。
【００５３】
次に、図１または図３においては、単一ユニットとして形成される利用側熱交換器２４として、暖房や浴室乾燥等を行う暖房端末機に温水を供給するための暖房回路４２を二次側流路とする暖房用熱交換器２５と、浴槽６９の浴槽水６８を加熱する風呂回路６２を二次側流路とする風呂用熱交換器２６との２つの熱出力機能を設けた場合を示しているので、以下、給湯循環回路２を用いる運転として暖房運転と風呂追い焚き運転を行う場合について説明する。
【００５４】
暖房運転時には、浴室乾燥機などの暖房端末機に内蔵された制御器（図示せず）や床暖房用リモートコントローラ９４からの運転指令で、水量制御弁８が閉止されて給湯循環回路２のみの閉回路が形成され、暖房回路４２に設けた暖房ポンプ５０が駆動し、この運転指令に連動して給湯循環回路２の温水を循環させる循環ポンプ７が駆動し、同時に燃焼バーナ３４の着火動作により燃焼が開始する。給湯用熱交換器２３で加熱された高温水は循環ポンプ７で利用側熱交換器２４の一次側に供給され、水−水熱交換構成により熱交換され暖房用熱交換器２５の二次側である暖房回路４２へ伝熱される。
【００５５】
図１または図３の暖房回路４２は、２種類の異なる温度の温水を暖房端末機に供給することができる２温度タイプの構成を示している。暖房用熱交換器２５で加熱された暖房回路４２の温水は、浴室乾燥機などの高温端末機に用いる場合には暖房往き流路４３を通ってそのまま供給される。また、床暖房温水マットなどの低温端末機に用いる場合には、暖房戻り流路４５を通って暖房タンク４９に蓄えられた各暖房端末機からの戻り温水が、逆止弁５３を有する暖房往き流路４３より分岐した低温バイパス流路４６を流れる高温水と混合され、低温暖房往き流路４４を通って供給される。
【００５６】
暖房タンク４９は、大気開放されており、前記暖房タンク４９には蒸発等によって減少した暖房回路４２内の保有水量を検知する減水電極５２と、保有満水量を検知する満水電極５１とが備えられ、給水路１から分岐し補給水弁５５を有する補給水路４１が接続されている。減水電極５２がＯＦＦし、暖房タンク４９の保有水量が減水電極５４未満となると、補給水弁５５が開となり、満水電極５１がＯＮするまで補給水路４１から水が暖房タンク４９に供給される仕組みになっている。
【００５７】
暖房用熱交換器２５で熱交換された一次側流路の高温水は給湯用熱交換器２３の上流側の給水路１に戻り、給湯循環回路２を形成し暖房端末機からの暖房運転指令が発せられている間、所定の温度に維持して高温水循環を継続する。
【００５８】
次に風呂追い焚き運転時には、図１または図３において、浴室用リモートコントローラ９２で使用者が風呂追い焚き運転の指示を行うと、風呂回路６２に設けた風呂ポンプ７５が駆動し、水流スイッチ７６で浴槽水６８の循環が検知されると、その検知信号で水量制御弁８が閉止されて給湯循環回路２のみの閉回路が形成され、給湯循環回路２を循環させる循環ポンプ７が駆動し、同時に燃焼バーナ３４の着火動作により燃焼が開始される。ここで前記水流スイッチ７６としては、例えば流路中に設けられマグネットが取り付けられたバタフライ部が、所定（例えば２．８Ｌ／ｍｉｎ）以上の通水流量で押し上げられ電気導通することで流水を検知する流量スイッチの構造が考えられる。
【００５９】
給湯用熱交換器２３で加熱された高温水は循環ポンプ７で、利用側熱交換器２４の１次側に供給され、水−水熱交換構成により熱交換され風呂用熱交換器２６の二次側である風呂回路６２へ伝熱される。風呂用熱交換器２６で受熱した風呂回路６２の熱は、浴槽６９の浴槽水６８の温度を上昇させ所定の追い焚き湯温を確保する。そして、利用側熱交換器２４で熱交換された高温水は、給湯用熱交換器２３の上流側の給水路１に戻り、給湯循環回路２を形成し、浴室用リモートコントローラ９２で設定された所定の追い焚き温度を風呂戻りサーミスタ８３で検知するまで所定の湯温に維持して循環を継続する。
【００６０】
なお、図１または図３において、給湯循環回路２中には、入水流量センサ５と同様な流量センサの構造を有する循環流量センサ６を設けている。前記循環流量センサ６を給湯循環回路２に設けることで、給湯循環回路２の循環流量を検出することが可能である。そこで、循環ポンプ７を駆動負荷に応じて出力可変である直流駆動ポンプ（以下、ＤＣポンプという）の構成とした場合、暖房運転時、風呂追い焚き運転時、あるいはそれらの同時運転時に、各利用側熱交換器の二次側負荷に応じて、循環ポンプの駆動負荷を変化させ、給湯循環回路２に最適流量の高温水を搬送することができる。
【００６１】
また、過圧逃がし弁７９と過圧逃がし開閉弁７８を有する過圧逃がし流路７２を、出湯路３より分岐した注湯流路６１と平行して設けている。暖房運転や風呂追い焚き運転で給湯循環回路２を用いる運転においては、給湯循環回路２が閉回路となって給湯用熱交換器２３で加熱されるため、給湯循環回路２内の水は急激に膨張し内圧が上昇する。
【００６２】
したがって、給湯循環回路２を用いる運転時には過圧逃がし開閉弁７８を開としておき、給湯循環回路２内の内圧上昇時には過圧逃がし弁７９が作動して圧力を風呂回路６２に開放して所定の圧力以下となるようにしている。ここで、過圧逃がし弁７９は、例えば１．０ＭＰａで開となり０．７ＭＰａで閉となるようにバネ力で設定されるような構造である。
【００６３】
給湯循環回路２を利用する運転の場合に、利用側熱交換器２４の一次側流路に供給する湯の温度としては、浴室乾燥機などの高温端末機を運転する場合には暖房往き流路４３に供給する湯の温度として８０℃が必要であるので、その温度よりも高い８５℃程度が必要であり、制御手段９１は給湯往きサーミスタ１５で検出される湯の温度が８５℃となるように燃焼バーナ３４での燃焼量を調整する。
【００６４】
暖房運転時、制御手段９１は給湯往きサーミスタ１５で検出される湯の温度が８５℃となるように、暖房往きサーミスタ５４で検出される湯の温度が８０℃となるように、直流駆動（以下、ＤＣ駆動という）される循環ポンプ７の駆動負荷を調整しながら燃焼バーナ３４の燃焼量を調整する動作制御を行う。
【００６５】
風呂追い焚き運転時、制御手段９１は給湯往きサーミスタ１５で検出される湯の温度が８５℃となるように、ＤＣ駆動される循環ポンプ７の駆動負荷を、例えば最大の駆動負荷量とするなどのある所定の駆動負荷量としながら燃焼バーナ３４の燃焼量を調整する動作制御を行い、浴室用リモートコントローラ９２で設定された所定の追い焚き温度（例えば４２℃）を風呂戻りサーミスタ８３で検知するまで風呂追い焚き運転動作を継続する。
【００６６】
以上のように本実施の形態においては、暖房運転および風呂追い焚き運転の複数の熱出力機能に対し、それぞれの二次側流路である暖房回路４２および風呂回路６２が暖房用熱交換器２５および風呂用熱交換器２６に接続されているが、図２−１のような構造のプレート式熱交換器を単一ユニット化された利用側熱交換器２４として用いた場合、暖房用熱交換器２５および風呂用熱交換器２６の一次側流路は単一の給湯循環回路２で簡素化されて形成され、暖房用熱交換器２５および風呂用熱交換器２６は、単一の利用側熱交換器２４として形成されており、器具の小型化、軽量化を実現することができる。
【００６７】
また、複数の熱出力機能を有する利用側熱交換器２４の一次側流路を単一とすることで、一次側流路を流れる高温水の放熱ロスを軽減し、二次側流路との熱交換効率向上を図ることができる。
【００６８】
上記では、給湯回路と給湯循環回路２のどちらか一方を利用する運転方法について説明したが、次に給湯回路と給湯循環回路２を同時に利用する場合の運転方法について述べる。
【００６９】
給湯回路と給湯循環回路２を同時に利用する場合、利用側熱交換器２４で二次側流路に熱交換させる必要があるので、制御手段９１は給湯往きサーミスタ１５で検出される温度が利用側熱交換器２４の二次側流路で必要な温度（例えば暖房回路４２の場合ならば８０℃）より高い所定制御温度（例えば８５℃）となるように動作制御する必要がある。
【００７０】
この時、給湯回路側の動作制御は、出湯路３の給湯循環回路２からの分岐部の位置が異なる図１の場合と図３の場合とで異なる。なお、給湯循環回路２側の動作制御は図１の場合も図３の場合も、所定制御温度（例えば８５℃）が給湯循環回路２に供給されるため、前記暖房運転や前記風呂追い焚き運転の給湯循環回路２を単独に用いる動作制御と同様であり、給湯回路が利用されたことによる温度制御面での直接的な影響はない。
【００７１】
出湯路３の給湯循環回路２からの分岐部が利用側熱交換器２４の下流側に配置された図１の構成においては、利用側熱交換器２４の二次側流路への熱交換状態によって給湯戻りサーミスタ１６で検出される湯の温度が異なるので、制御手段９１は給湯戻りサーミスタ１６で検出される温度を監視しながら、出湯サーミスタ１７で検出される湯の温度が所望温度（例えば４２℃）となるようにバイパス制御弁９の開度を調整する動作制御を行う。
【００７２】
このように出湯路３の分岐部が利用側熱交換器２４の下流に存在する構成においては、利用側熱交換器２４の一次側流路により多くの高温水を供給できるので、利用側熱交換器２４の二次側流路を流れる温水加熱の立ち上がり特性が有利である。しかし、利用側熱交換器２４の熱交換状態によって出湯路３に供給される湯の温度が変動することがあるので、バイパス制御弁９を頻繁に動作させることが多く、出湯温度が図３の構成と比べて変動しやすくなる可能性がある。
【００７３】
また、利用側熱交換器２４の熱交換状態によって、給湯戻り温度が低くなる場合、高温設定温度の給湯温度（例えば、設定温度６０℃の場合）を供給できない可能性がある。この時、循環ポンプ７を駆動負荷可変であるＤＣポンプの構成とした場合、制御手段９１は循環ポンプ７を最大回転数で駆動させ、給湯戻りサーミスタ１６で検出される湯の温度を、可能な限り要求される出湯温度（例えば６０℃）を超える温度とさせる動作制御を行う。
【００７４】
一方、出湯路３の給湯循環回路２からの分岐部が利用側熱交換器２４の上流側に配置された図３の構成においては、図１の構成と異なり利用側熱交換器２４の二次側流路への熱交換状態の影響はなく、制御手段９１は給湯往きサーミスタ１５の一定の所定制御温度（例えば８５℃）に対して、出湯サーミスタ１７で検出される湯の温度が所望温度（例えば４２℃）となるようにバイパス制御弁９の開度を調整する動作制御を行う。
【００７５】
このように出湯路３の分岐部が利用側熱交換器２４の上流に存在する構成においては、出湯路３に供給される湯温が一定制御温度である給湯往き温度（例えば給湯回路のみを利用する場合の給湯単独運転時には７０℃、給湯回路と給湯循環回路２を同時に利用する場合には８５℃）が供給されるため、図１の構成と比べてバイパス制御弁９を頻繁に動作させることも少なく安定した出湯温度制御を行うことができる。
【００７６】
また、出湯路３は利用側熱交換器２４の一次側流路を通過することなく、給湯用熱交換器２３を出た後のすぐの高温水を得ることができるので流路圧力損失を小さくでき、その分早く出湯栓１３に所望の湯を供給することができる。しかし、利用側熱交換器２４の給湯循環回路２に搬送されるべき高温湯の一部が出湯路３に流れるので、利用側熱交換器２４の二次側流路を流れる温水に多くの交換熱量要求がある場合、二次側流路を流れる温水加熱の立ち上がり特性が図１の構成と比べて劣る可能性がある。
【００７７】
この時、循環ポンプ７を駆動負荷可変であるＤＣポンプの構成とした場合、制御手段９１は循環ポンプ７を最大回転数で駆動させ、給湯循環回路２に可能な限り多くの高温水を供給することで、二次側流路を流れる温水加熱の立ち上がり特性を改善させる動作制御を行う。
【００７８】
図１および図３の燃焼バーナ３４での燃焼量は、制御手段９１が給湯用熱交換器２３に供給される水温と、供給するべき水温と、供給流量とから必要な燃焼負荷を計算し、燃焼ガス切替弁３３を開閉することで燃焼バーナ３４の燃焼部分を切替えることと、予め定められた燃料ガス比例制御弁２７の開度を調整することでの燃料ガス供給量と燃焼用ファン３１の回転数を調整することでの燃焼用空気供給量との組み合わせとで調整される。
【００７９】
具体的には、給湯回路のみを利用する給湯単独運転時には、給湯用熱交換器２３に供給される水温は入水サーミスタ１４で、供給するべき出力制御水温は給湯往きサーミスタ１５で、供給流量は循環流量センサ６でそれぞれ検出され燃焼負荷を計算することができる。給湯循環回路２のみを利用する暖房運転時や風呂追い焚き運転時には、給湯用熱交換器２３に供給される水温は給湯戻りサーミスタ１６で、供給するべき出力制御水温は給湯往きサーミスタ１５で、循環ポンプ７の駆動による供給流量は循環流量センサ６でそれぞれ検出され燃焼負荷を計算することができる。
【００８０】
一方、給湯回路と給湯循環回路２を同時に利用する運転時には、上記の給湯回路または給湯循環回路２のどちらか一方を利用する運転時と同様に、給湯用熱交換器２３の供給するべき出力制御水温は給湯往きサーミスタ１５で、供給流量は循環流量センサ６でそれぞれ直接検出することができるが、給湯用熱交換器２３に供給される水温は、給湯用熱交換器２３の入口部にサーミスタ等の検出手段を設けていないため直接検出することができないので、制御手段９１で次のように図１の構成の場合と図３の構成の場合とのそれぞれにおいて計算される。
【００８１】
まず、図１において、給湯用熱交換器２３に供給される水温をＴｘ（℃）、循環流量センサ６で検出される出湯路３と分岐する前の給湯循環回路２を流れる流量をｑ２（Ｌ／ｍｉｎ）、給湯戻りサーミスタ１６で検出される温水の温度をＴ２（℃）、給湯循環回路２から分岐して出湯路３に入ってバイパス通路４を流れる水と混合される前の流量をｑ３（Ｌ／ｍｉｎ）、入水サーミスタ１４で検出される供給水の温度をＴ４（℃）、入水流量センサ５で検出される供給水量をｑ１（Ｌ／ｍｉｎ）、給水路１から分岐しバイパス通路４を流れる水量をｑ４（Ｌ／ｍｉｎ）とすると、給湯循環回路２と給水路１との合流点において熱量の関係から、（１）式が成り立つ。
【００８２】
Ｔｘｑ２＝Ｔ２（ｑ２−ｑ３）＋Ｔ４（ｑ１−ｑ４）  ・・・（１）
（１）式をＴｘについて解くと（２）式となる。
【００８３】
Ｔｘ＝（（ｑ２−ｑ３）／ｑ２）Ｔ２＋（（ｑ１−ｑ４）／ｑ２）Ｔ４  ・・・（２）（２）式において、ｑ３およびｑ４はアクチュエータ等で直接検出することができないため、ｑ３およびｑ４を（２）式より消去することを考える。出湯栓１３から供給される出湯流量は、ｑ３＋ｑ４で表現できる。また給湯循環回路２と給水路１との合流点において流量の関係から、（３）式が成り立つ。
【００８４】
ｑ２＝（ｑ２−ｑ３）＋（ｑ１−ｑ４）  ・・・（３）
（３）式の両辺よりｑ２を消去すると、（４）式に同じとなる。
【００８５】
ｑ３＋ｑ４＝ｑ１  ・・・（４）
すなわち、出湯栓１３から供給される出湯流量は、入水流量センサ５で検出される供給水量ｑ１と同じである。一方出湯路３とバイパス通路４との合流点において熱量の関係から、出湯サーミスタ１７で検出される出湯栓１３から供給される湯の温度をＴ３とすると、（５）式が成り立つ。
【００８６】
Ｔ３ｑ１＝Ｔ２ｑ３＋Ｔ４ｑ４  ・・・（５）
（４）式と（５）式より、ｑ３およびｑ４について解くと、ｑ３およびｑ４はそれぞれ（６）式および（７）式で表される。
【００８７】
ｑ３＝（（Ｔ３−Ｔ４）／（Ｔ２−Ｔ４））ｑ１  ・・・（６）
ｑ４＝（（Ｔ２−Ｔ３）／（Ｔ２−Ｔ４））ｑ１  ・・・（７）
（６）式および（７）式を（２）式に代入すると、給湯用熱交換器２３に供給される水温
をＴｘは（８）式で表される。
【００８８】
Ｔｘ＝Ｔ２−（Ｔ３−Ｔ４）ｑ１／ｑ２  ・・・（８）
次に図３において、給湯用熱交換器２３に供給される水温をＴｘ（℃）、循環流量センサ６で検出される出湯路３と分岐した後の給湯循環回路２を流れる流量をｑ２（Ｌ／ｍｉｎ）、給湯戻りサーミスタ１６で検出される温水の温度をＴ２（℃）、給湯循環回路２から分岐して出湯路３に入ってバイパス通路４を流れる水と混合される前の流量をｑ３（Ｌ／ｍｉｎ）、入水サーミスタ１４で検出される供給水の温度をＴ４（℃）、入水流量センサ５で検出される供給水量をｑ１（Ｌ／ｍｉｎ）、給水路１から分岐しバイパス通路４を流れる水量をｑ４（Ｌ／ｍｉｎ）とすると、給湯循環回路２と給水路１との合流点において熱量の関係から、（９）式が成り立つ。
【００８９】
Ｔｘ（ｑ２＋ｑ３）＝Ｔ２ｑ２＋Ｔ４（ｑ１−ｑ４）  ・・・（９）
（９）式をＴｘについて解くと（１０）式となる。
【００９０】
Ｔｘ＝（ｑ２／（ｑ２＋ｑ３））Ｔ２＋（（ｑ１−ｑ４）／（ｑ２＋ｑ３））Ｔ４  ・・・（１０）
（１０）式において、ｑ３およびｑ４はアクチュエータ等で直接検出することができないため、ｑ３およびｑ４を（１０）式より消去することを考える。図３の場合においても（４）式は成立し、出湯路３とバイパス通路４との合流点において熱量の関係から、出湯サーミスタ１７で検出される出湯栓１３から供給される湯の温度をＴ３、給湯往きサーミスタ１５で検出される温度をＴ１とすると、（１１）式が成り立つ。
【００９１】
Ｔ３ｑ１＝Ｔ１ｑ３＋Ｔ４ｑ４  ・・・（１１）
（４）式および（１１）式よりｑ３およびｑ４について解くと、ｑ３およびｑ４はそれぞれ（１２）式および（１３）式で表される。
【００９２】
ｑ３＝（（Ｔ３−Ｔ４）／（Ｔ１−Ｔ４））ｑ１  ・・・（１２）
ｑ４＝（（Ｔ１−Ｔ３）／（Ｔ１−Ｔ４））ｑ１  ・・・（１３）
（１２）式および（１３）式を（１０）式に代入すると、給湯用熱交換器２３に供給される水温をＴｘは（１４）式で表される。
【００９３】
Ｔｘ＝（１／（１＋Ａ））Ｔ２＋（Ａ／（１＋Ａ））Ｔ４  ・・・（１４）
ただし（１４）式においてＡは（１５）式である。
【００９４】
Ａ＝（ｑ１／ｑ２）（（Ｔ３−Ｔ４）／（Ｔ１−Ｔ４））  ・・・（１５）
このように、制御手段９１は図１の構成においては（８）式に、図３の構成においては（１４）式に基づいて給湯用熱交換器２３に供給される水温を計算することができる。
【００９５】
以上、給湯回路を用いる運転として給湯単独運転の動作について、給湯循環回路２を用いる運転として暖房運転および風呂追い焚き運転の動作について、給湯回路と給湯循環回路２を同時に用いる運転の場合の動作についてそれぞれ説明したが、最後に図１または図３において、出湯路３のバイパス通路４の下流部から分岐した注湯流路６１から、風呂回路６２を経て浴槽６９へ所定温度と所定湯量のお湯はりを行う風呂お湯はり運転の動作について説明する。
【００９６】
風呂お湯はり運転は、給湯回路から分岐した注湯流路６１を利用する動作であるので基本的には前記給湯単独運転の動作と同様であり、注湯流路６１を用いる風呂お湯はり運転を単独に行うことも、出湯栓１３から湯を供給しながらお湯はり運転を同時に行うことができる。ただし、出湯栓１３から湯を供給しながらお湯はり運転を同時に行う場合の給湯
温度は、風呂お湯はり温度を実現する出湯サーミスタ１７で検出される温度が優先となり、出湯栓１３からはこの時の温度の湯が供給される。
【００９７】
また、給湯循環回路２を用いる暖房運転を行いながらの風呂お湯はり運転動作も可能である。以下図１の構成に対応させて風呂お湯はり運転の動作について説明する。
【００９８】
図４は図１の構成において風呂お湯はり運転を単独に行う場合の、温水や水の流れを図中の矢印で示したものである。浴室用リモートコントローラ９２で使用者が所定温度と所定湯量を設定して風呂お湯はり運転の指示を行うと、制御手段９１は注湯流路６１に設けられた注湯弁７７を開とし、前記の給湯回路を用いる給湯運転と同様な動作制御を行う。注湯流路６１から風呂回路６２に供給された湯は、一方は風呂戻り流路６４、風呂戻り配管６６、風呂循環アダプタ６７を通って浴槽６９へと、もう一方は風呂用熱交換器２６の二次側流路である風呂回路６２、風呂往き流路６３、風呂往き配管６５、風呂循環アダプタ６７を通って浴槽６９へと二方向から供給される。
【００９９】
浴槽６９へ供給される所定温度は、風呂戻り流路６４を経由し風呂戻りサーミスタ８３で検出される温度の湯と、風呂往き流路６３を経由し風呂用熱交換器２６で熱交換された風呂往きサーミスタ８２で検出される湯とが混合して実現される。ここで、風呂戻りサーミスタ８３で検出される温度は、出湯サーミスタ１７で検出され注湯流路６１に供給される湯の温度と同じである。
【０１００】
また、風呂用熱交換器２６の一次側流路である給湯循環回路２を通った高温湯が分岐して出湯路３に流れるため、風呂往き流路６３を通過する注湯流路６１から供給された湯は風呂用熱交換器２６の二次側流路を流れる際に加熱される。したがって制御手段９１は、浴槽水６８の温度が設定された所定温度となるように出湯サーミスタ１７での湯温制御を行うことが必要である。
【０１０１】
図４において、注湯流量センサ７３で検出される流量をｑ５（Ｌ／ｍｉｎ）、風呂往き流路６３を経由する流量割合をα、設定された注湯されるべき所定温度をＴ６（℃）、風呂往きサーミスタ８２で検出される温度をＴ５（℃）、湯温制御するべき出湯サーミスタ１７での検出温度をＴ３（℃）とすると、風呂往き流路６３側と風呂戻り流路６４側から注湯される湯の熱量の関係から（１６）式が成り立つ。
【０１０２】
Ｔ６ｑ５＝Ｔ５αｑ５＋Ｔ３（１−α）ｑ５  ・・・（１６）
（１６）式をαについて解くと（１７）式となる。
【０１０３】
α＝（Ｔ６−Ｔ３）／（Ｔ５−Ｔ３）  ・・・（１７）
（１７）式においてＴ６は設定された所定温度として既知であり、Ｔ５は風呂往きサーミスタ８２で直接検出することが可能である。
【０１０４】
一方、給湯往きサーミスタ１５で検出される温度をＴ１（℃）、給湯戻りサーミスタ１６で検出される温水の温度をＴ２（℃）、循環流量センサ６で検出される出湯路３と分岐する前の給湯循環回路２を流れる流量をｑ２（Ｌ／ｍｉｎ）とすると、利用側熱交換器２４での熱交換の関係から（１８）式が成り立つ。
【０１０５】
（暖房用熱交換器２５の二次側流路（暖房回路４２）の受熱量）
＋（風呂用熱交換器２６の二次側流路（風呂回路６２）の受熱量）
＝（利用側熱交換器２４の一次側流路（給湯循環回路２）の供給熱量）  ・・・（１８）暖房用熱交換器２５を利用する暖房運転を行わず風呂お湯はり運転のみを単独に行う場合においては（１８）式の左辺第１項をゼロとすることができ、（１９）式のようになる。
【０１０６】
αｑ５（Ｔ５−Ｔ３）＝ｑ２（Ｔ１−Ｔ２）  ・・・（１９）
（１９）式をαについて解くと、αは（２０）式で表現できる。
【０１０７】
α＝（ｑ２／ｑ５）（（Ｔ１−Ｔ２）／（Ｔ５−Ｔ３））  ・・・（２０）
（１７）式と（２０）式よりαを消去してＴ３について解くと、湯温制御するべき出湯サーミスタ１７での検出温度Ｔ３は（２１）式で表される。
【０１０８】
Ｔ３＝Ｔ６−（ｑ２／ｑ５）（Ｔ１−Ｔ２）  ・・・（２１）
（２１）式にしたがって風呂お湯はり運転のみを単独に行う場合、制御手段９１は、設定された浴槽６９に注湯するべき所定温度Ｔ６、循環流量センサ６で検出される流量ｑ２（Ｌ／ｍｉｎ）、注湯流量センサ７３で検出される流量ｑ５（Ｌ／ｍｉｎ）、給湯往きサーミスタ１５で検出される温度Ｔ１、給湯戻りサーミスタ１６で検出される温水の温度Ｔ２（℃）を検出しながら、湯温制御するべき出湯サーミスタ１７の目標制御温度Ｔ３を決定することができる。
【０１０９】
注湯流量センサ７３で検出される流量ｑ５（Ｌ／ｍｉｎ）を積算して所定湯量の注湯動作が終了すると、制御手段９１は前記風呂追い焚き運転と同様な動作制御を行い、風呂戻りサーミスタ８３で検出される温度、すなわち注湯された浴槽水６８の温度が設定された所定温度となっているかどうか確認する。注湯動作に時間がかかるため浴槽６９に注湯された浴槽水６８が冷めてしまった場合などは、そのまま風呂追い焚き運転を行い設定された所定温度となるまで沸き上げ動作を継続する。
【０１１０】
以上のように風呂お湯はり運転を単独に行う場合は、制御手段９１は（２１）式に基づき出湯サーミスタ１７の湯温制御を行えば良いが、利用側熱交換器２４を用いる暖房運転と風呂お湯はり運転を同時に行う場合には（１８）式の左辺第１項をゼロとすることができないため、（２１）式に基づく出湯サーミスタ１７での湯温制御を行うことができない。
【０１１１】
そこで、機器設置時に行う試運転時に風呂お湯はり運転を単独に行い、湯温制御するべき出湯サーミスタで検出される温度Ｔ３をＴ７として（１７）式に代入することで計算されるαをα１として学習し、利用側熱交換器２４を用いる暖房運転と風呂お湯はり運転を同時に行う場合には、α１を（１７）式に代入して計算される（２３）式で表されるＴ３に従って制御手段９１は出湯サーミスタ１７での湯温制御を行う。すなわち、試運転時に風呂お湯はり運転を単独に行い（２２）式のようにα１を学習する。
【０１１２】
α１＝（Ｔ６−Ｔ７）／（Ｔ５−Ｔ７）  ・・・（２２）
（２２）式のα１を（１７）式のαに代入し、Ｔ３について解くことで利用側熱交換器２４を用いる暖房運転と同時に風呂お湯はり運転を行う場合の出湯サーミスタ１７で湯温制御するべきＴ３を決定する。
【０１１３】
Ｔ３＝（Ｔ６−α１Ｔ５）／（１−α１）  ・・・（２３）
一方、浴槽６９へ供給される所定湯量は、注湯流路６１に設けられた入水流量センサ５や循環流量センサ６と同様な構造である注湯流量センサ７３で検出される注湯流量を積算することで求めることができる。浴槽６９に浴槽水６８が残り湯として存在する状態から風呂お湯はり運転を行う場合、設定された所定温度の湯量に対して残りあと、どれだけの湯量を注湯するのかをまず計算する必要がある。
【０１１４】
図１や図３の構成の場合においては、風呂循環アダプタ６７を通して浴槽水６８の水位に対応した水圧を検出する水位センサ（図示せず）を有する水位式の方式ではなく、設定
された所定湯量を注湯流量センサ７３で注湯する水量式であって、浴槽水６８が残り湯として存在していても直接その存在を検出することができない。なお、前記水位センサは通常風呂戻り流路６４に設けられる。
【０１１５】
図１や図３の水量式の構成における残り湯を計算する方法として、機器設置時に行う試運転時に風呂追い焚き運転を行って風呂回路６２の循環流量ｑ６（Ｌ／ｍｉｎ）を学習し、風呂お湯はり運転時に残り湯が存在すると判断された場合には、まず風呂追い焚き運転を行いながら学習した風呂回路６２の循環流量ｑ６（Ｌ／ｍｉｎ）を基に残り湯の湯量を計算する残湯演算を行う。以下、試運転時に風呂回路６２の循環流量ｑ６（Ｌ／ｍｉｎ）を学習する方法、風呂お湯はり運転時に行う残湯演算の方法について説明する。
【０１１６】
機器設置時には、前記のようにある所定温度と所定湯量の風呂お湯はり運転を行うことで、風呂往き流路６３を経由する流量割合をα１などの学習を行う。例えば、この風呂お湯はり運転が終了した状態で、続いて風呂追い焚き運転を単独で所定時間行う。図４において、給湯往きサーミスタ１５で検出される温度をＴ１（℃）、給湯戻りサーミスタ１６で検出される温水の温度をＴ２（℃）、循環流量センサ６で検出される流量をｑ２（Ｌ／ｍｉｎ）、風呂往きサーミスタ８２で検出される温度をＴ５（℃）、風呂戻りサーミスタ８３で検出される温度をＴ８（℃）、風呂回路６２の循環流量をｑ６（Ｌ／ｍｉｎ）とすると、風呂用熱交換器２６における熱交換の関係より（２４）式が成り立つ。
【０１１７】
ｑ６（Ｔ５−Ｔ８）＝ｑ２（Ｔ１−Ｔ２）  ・・・（２４）
（２４）式をｑ６について解くと、（２５）式のようにｑ６を求めることができる。
【０１１８】
ｑ６＝ｑ２（Ｔ１−Ｔ２）／（Ｔ５−Ｔ８）  ・・・（２５）
ｑ６をより精度良く学習するために、例えば、試運転時に風呂追い焚き運転を単独で所定時間（例えば３分間）行い、その間に所定時間間隔（例えば１０秒間）に所定個数ｍ（例えば１８個）のｑ６を計算し、それらの平均値で風呂回路６２の循環流量ｑ６を決定する。すなわち、
ｑ６＝（１／ｍ）Σｑ６（ｉ）  ・・・（２６）
ただし（２６）式において、ｑ６（ｉ）はｉ番目に計算された循環流量を示す。
【０１１９】
以上のようにして試運転時に学習されたｑ６を用いて、風呂お湯はり運転時に行う残湯演算の方法について以下説明する。
【０１２０】
風呂お湯はり運転を開始する際、制御手段９１は、まず風呂ポンプ７５を駆動させる。その際、水流スイッチ７６が所定時間（例えば９０秒）連続してＯＦＦした場合、または水流スイッチ７６が所定時間（例えば９０秒）ＯＮ／ＯＦＦを繰り返した場合には、制御手段９１は浴槽６９に残り湯がないと判断し、使用者が設定した所定湯量の湯を注湯流量センサ７３で積算して風呂お湯はり運転を行う。
【０１２１】
水流スイッチ７６が所定時間（例えば９０秒）連続してＯＮした場合、制御手段９１は浴槽６９に残り湯があると判断し、そのまま風呂戻りサーミスタ８３で検出される温度が所定温度ΔＴ（℃）(
ここでΔは一般的に呼ばれている「デルタ」の文字として使用し、以下同じように使用する）上昇するまで風呂追い焚き運転を行う。風呂戻りサーミスタ８３で検出される温度が所定温度ΔＴ（℃）上昇するまでの時間をΔｔ（ｍｉｎ）、風呂用熱交換器２６の二次側流路である風呂回路６２での受熱量を計算する時間間隔をΔτ（ｍｉｎ）とすると、受熱量を計算する合計回数は｜Δｔ／Δτ｜である。
【０１２２】
ただし｜Δｔ／Δτ｜はΔｔ／Δτの整数部分を表す。浴槽６９の残り湯をＱ（Ｌ）、
試運転時に学習した循環流量をｑ６（Ｌ／ｍｉｎ）、受熱量をｊ番目に計算する際の風呂往きサーミスタ８２で検出される温度をＴ５（ｊ）（℃）、受熱量をｊ番目に計算する際の風呂戻りサーミスタ８３で検出される温度をＴ８（ｊ）（℃）とすると、残り湯Ｑ（Ｌ）がΔＴ（℃）温度上昇して受熱した熱量の関係から（２７）式が成り立つ。
【０１２３】
ＱΔＴ＝Σ（ｑ６（Ｔ５（ｊ）−Ｔ８（ｊ））Δτ）  ・・・（２７）
ただし（２７）式における右辺は自然数ｊについての和であり、
ｊ＝１、・・・、｜Δｔ／Δτ｜ 
である。（２７）式をＱについて解くと、浴槽６９の残湯量Ｑ（Ｌ）は、（２８）式で求めることができる。
【０１２４】
Ｑ＝｛Σ（ｑ６（Ｔ５（ｊ）−Ｔ８（ｊ））Δτ）｝／ΔＴ  ・・・（２８）
残湯量Ｑ（Ｌ）が求まれば、制御手段９１は使用者が設定した所定湯量に対してＱ（Ｌ）を引いた残りの湯量を注湯流量センサ７３で積算して浴槽６９に注湯することができる。
【０１２５】
以上のように、図４における構成において、風呂戻り流路６４と風呂往き流路６３の二方向から浴槽６９に所定温度の湯を注湯する際、風呂用熱交換器２６の二次側流路を経由するため風呂往き流路６３側から注湯される湯は加熱されるため、最終的に注湯された浴槽水６８の温度を使用者が設定した温度となるよう、出湯サーミスタ１７での湯温制御するべき温度を決定する必要があるが、風呂お湯はり運転を単独に行う場合には、制御手段９１は（２１）式に基づいて出湯サーミスタ１７での制御温度を決定することができる。
【０１２６】
また、利用側熱交換器２４を用いる運転として暖房運転を行いながら風呂お湯はり運転を行う場合には、風呂往き流路６３中に設けた風呂往きサーミスタ８２で検出される温度と、機器設置時に行う試運転時に学習した風呂往き流路６３を経由する流量割合α１を用いて、（２３）式に基づいて出湯サーミスタ１７での制御温度を決定することができる。
【０１２７】
（実施の形態２）
図５は、本発明の第７の実施の形態における給湯装置の構成、および風呂お湯はり運転を単独に行う場合の温水や水の流れを示した図であり、温水や水の流れは図５中の矢印で示している。なお、図５は図１や図４の場合に対応させて、出湯路３の給湯循環回路２からの分岐部を複数の熱出力機能を単一ユニットとして形成された利用側熱交換器２４の下流側に配置させた構成で示しているが、図３の場合に対応させて出湯路３を利用側熱交換器２４の上流側から分岐させても本実施の形態２で述べる効果および作用は同様である。
【０１２８】
図５に示す本実施の形態において、図１または図３に示す実施の形態１の給湯装置と異なるところは、注湯流路６１と風呂回路６２の合流部から風呂用熱交換器２６を通過して風呂往き流路６３に至る風呂回路６２中に、流路開閉を行う流路開閉手段８４を設けたところで、それ以外の同一構成並びに同一作用効果を奏するところには同一符号を付して詳細な説明を略し、異なるところを中心に説明する。
【０１２９】
特に、図５では前記流路開閉手段８４を注湯流路６１と風呂回路６２の合流部から風呂用熱交換器２６の入口部までの風呂回路６２中に設けた構成として示している。風呂用熱交換器２６の下流の風呂往き流路６３では熱交換された後の湯が流れるため、風呂用熱交換器２６の入口部までに流路開閉手段８４を設けることで、流路開閉手段８４は熱交換される前の温水にさらされることとなり、熱的なストレスを軽減させることができる。ここで流路開閉手段８４は例えば注湯弁７７と同様な電磁弁の構造である。
【０１３０】
実施の形態１の給湯装置では図４を用いながら、風呂お湯はり運転時の動作制御の方法について述べた。図１または図４に示す給湯装置の構成上、浴槽６９へ供給される湯の温
度は、風呂戻り流路６４を通過し風呂戻りサーミスタ８３で検出される湯の温度と、風呂用熱交換器２６で熱交換され風呂往き流路６３を通過し風呂往きサーミスタ８２で検出される湯の温度とが混合したものとなる。
【０１３１】
したがって、浴槽６９に供給された湯の温度を、使用者が設定した所定温度とするために、制御手段９１は、風呂お湯はり運転を単独に行う場合には、（２１）式に基づき出湯サーミスタ１７の湯温制御を行い、暖房運転と風呂お湯はり運転を同時に行う場合には、試運転時に学習したα１を用いて（２３）式に基づき出湯サーミスタ１７の湯温制御を行うことが必要であった。
【０１３２】
なお、図３における給湯装置の構成においては、風呂お湯はり運転を単独に行う場合には、風呂往き流路６３を通過する側の湯は風呂用熱交換器２６で一次側流路である給湯循環回路２に水流がないため、（２１）式においてｑ２＝０とでき、熱交換されないため、出湯サーミスタ１７の制御温度Ｔ３は使用者が設定した所定温度Ｔ６と同じ、すなわちＴ３＝Ｔ６であるが、暖房運転と風呂お湯はり運転を同時に行う場合には、図１における給湯装置の構成と同様に風呂用熱交換器２６の一次側流路である給湯循環回路２に水流が生じるため風呂往き流路６３を通過する側の温水は熱交換されるため、試運転時に学習したα１を用いて（２３）式に基づき出湯サーミスタ１７の湯温制御を行うことが必要である。
【０１３３】
本実施の形態２では、風呂お湯はり運転時の出湯サーミスタ１７の湯温制御について、風呂往き流路６３を通過する側の温水が風呂用熱交換器２６での熱交換される影響をなくし、制御手段９１が出湯サーミスタ１７の制御温度を使用者が設定した所定温度となるような給湯装置の構成および動作制御を提供するものである。
【０１３４】
図５において、風呂お湯はり運転を行う場合には、制御手段９１はまず流路開閉手段８４を閉としてから、前記の実施の形態１で述べたように風呂お湯はり運転を行う。この時注湯流路６１から風呂回路６２に供給される湯は、流路開閉手段８４が閉となっているため風呂用熱交換器２６および風呂往き流路６３を通過せず、風呂戻り流路６４からのみ浴槽６９に供給される。
【０１３５】
従って、浴槽水６８の温度は出湯サーミスタ１７で検出される湯の温度と同じであり、制御手段９１が制御するべき出湯サーミスタ１７で検出されるべき湯の温度Ｔ３は、設定された注湯されるべき所定温度をＴ６と同じとすることができる。ただし、流路開閉手段８４が閉となると風呂往き流路６３側から浴槽６９に注湯できないため、風呂往き流路６３と風呂戻り流路６４の双方から注湯する場合に比べて注湯流量が減少するため風呂お湯はり時間が長くなる。
【０１３６】
図３の給湯装置の構成に対して流路開閉手段８４を設ける場合には、制御手段９１は風呂お湯はり運転を単独に行う場合には流路開閉手段８４を開として風呂往き流路６３と風呂戻り流路６４の双方から注湯し、暖房運転と風呂お湯はり運転を同時に行う場合にのみ流路開閉手段８４を閉として注湯させることで、可能な限り注湯流量を多くするような動作制御を行う。なお、図５に示した図１の給湯装置の構成に対して流路開閉手段８４を設ける場合には、風呂お湯はり運転を単独に行う場合でも流路開閉手段８４を閉とする必要がある。
【０１３７】
図６は、本発明の第８の実施の形態における給湯装置の構成、および風呂お湯はり運転を単独に行う場合の温水や水の流れを示した図であり、温水や水の流れは図６中の矢印で示している。なお、図６は図１や図４の給湯装置の場合に対応させて、出湯路３の給湯循環回路２からの分岐部を複数の熱出力機能を単一ユニットとして形成された利用側熱交換
器２４の下流側に配置させた構成で示しているが、図３の給湯装置の場合に対応させて出湯路３を利用側熱交換器２４の上流側から分岐させても本実施の形態２で述べる効果および作用は同様である。
【０１３８】
図６において、図１または図３の給湯装置と異なるところは、注湯流路６１と風呂回路６２の合流部から風呂用熱交換器２６を通過して風呂往き流路６３に至る風呂回路６２中に、風呂用熱交換器２６を迂回する風呂バイパス流路８５と、風呂用熱交換器２６を通過するか風呂バイパス流路８５を通過するかの流路切り替えを行う風呂回路流路切替手段８６とを設けたところで、それ以外の同一構成並びに同一作用効果を奏するところには同一符号を付して詳細な説明を略し、異なるところを中心に説明する。
【０１３９】
図６において、前記風呂回路流路切替手段８６の流路開閉状態は白抜き状態が開となっているように表現しており、この図６の場合、注湯流路６１から分岐して風呂用熱交換器２６側へ流れる温水は、風呂回路６２から風呂バイパス流路８５を経由して風呂往き流路６３に至るように流れている状態を示している。ここで、風呂回路流路切替手段８６としては、内部に流路貫通部を有するボール状の弁体をステッピングモータで回転させて流路切替を行わせるような構造が考えられる。
【０１４０】
図６において風呂お湯はり運転を行う場合には、まず制御手段９１は、通常は風呂回路６２から風呂用熱交換器２６に流れ風呂バイパス流路８５に流れない状態となっている風呂回路流路切替手段８６の弁体を駆動させ、図６に示すように風呂バイパス流路８５を流れるようにする。そして、前記実施の形態１で述べたように風呂お湯はり運転を行う。
【０１４１】
この時、注湯流路６１から風呂回路６２に供給される湯は、一方は風呂回路６２、風呂バイパス流路８５、風呂往き流路６３、風呂往き配管６５を通過して浴槽６９へ、もう一方は風呂戻り流路６４、風呂戻り配管６６を通過して浴槽６９へ二方向から注湯が行われる。
【０１４２】
なおこの時、風呂往き流路６３側から注湯される湯は風呂用熱交換器２６を通過しないため、浴槽水６８の温度は出湯サーミスタ１７で検出される湯の温度と同じであり、制御手段９１が制御するべき出湯サーミスタ１７で検出されるべき湯の温度Ｔ３は、設定された注湯されるべき所定温度をＴ６と同じとすることができる。さらに、風呂往き流路６３および風呂戻り流路６４の二方向から浴槽６９へ注湯することが可能となるため、注湯流量を十分確保することができ、風呂お湯はり運転の時間を図５で述べた給湯装置の構成よりも短縮することができる。
【０１４３】
以上のように、図５に示す給湯装置での風呂回路６２中に流路開閉手段８４を設けた構成、または図６に示す給湯装置での風呂バイパス流路８５と風呂回路流路切替手段８６を設けた構成とすることで、風呂お湯はり運転時に、制御手段９１は制御するべき出湯サーミスタ１７で検出されるべき湯の温度Ｔ３を、設定された注湯されるべき所定温度をＴ６と同じとすることができる。さらに、図６の給湯装置の構成では風呂往き流路６３側と風呂戻り流路６４側の双方から浴槽６９に注湯することが可能となるため、十分な注湯流量を確保することができる。
【０１４４】
なお、上記実施の形態に制御手段９１は、主としてマイクロコンピュータ及びその周辺回路から構成され、実施の形態１の各実施例及び実施の形態２の各実施例で説明した動作作用を実行するためのプログラムが内臓されているものである。
【産業上の利用可能性】
【０１４５】
以上のように、本発明にかかる給湯装置は、給湯用熱交換器で加熱された温水を循環す
る給湯循環回路に利用側熱交換器を設けた構成において、前記利用側熱交換器の熱出力機能を複数設ける場合、一次側である高温側温水が流れる単一の前記給湯循環回路に対して、前記利用側熱交換器の二次側の複数流路を各々並列に接続し、複数の利用側熱交換器を単一ユニットとして形成することで、本体構成の簡素化により器具の小型化、軽量化を実現するとともに、前記利用側熱交換器での放熱ロスを軽減し、二次側流路との熱交換効率向上を図ることができ、ガス、電気、ヒートポンプ式を熱源とする給湯装置に適用できる。
【０１４６】
また、複数の利用側熱交換器を単一ユニットとして形成する具体的な構成として本発明では、一次側流路と二次側流路が交互に積層されて構成されるプレート式熱交換器において、二次側流路を形成する伝熱プレートの形状を複数の熱出力機能に応じた各部屋である二次側流路を隔離するための仕切りを有する形状を提供したが、プレート式熱交換器は最近多くの熱源システムで多用化される中、本構成のようなプレート式熱交換器を熱源システム内に用いることで熱源システムの簡素化および小型化を実現することができ、ガス、電気、ヒートポンプ式を熱源とする給湯装置の利用側熱交換器に適用できる。
【図面の簡単な説明】
【０１４７】
【図１】本発明の実施の形態１における給湯装置の構成図
【図２−１】本発明の実施の形態１におけるプレート式熱交換器の構造図
【図２−２】本発明の実施の形態１におけるプレート式熱交換器の一次側伝熱プレートの構造図
【図２−３】本発明の実施の形態１におけるプレート式熱交換器の二次側伝熱プレートの構造図
【図３】本発明の実施の形態１における給湯装置の構成図
【図４】本発明の実施の形態１における動作説明図
【図５】本発明の実施の形態２における給湯装置の構造および動作説明図
【図６】本発明の実施の形態２の他例における給湯装置の構造および動作説明図
【符号の説明】
【０１４８】
１  給水路
２  給湯循環回路
３  出湯路
７  循環ポンプ
２３  給湯用熱交換器
２４  利用側熱交換器
２６  風呂用熱交換器
６１  注湯流路
６２  風呂回路
６８  浴槽水
６９  浴槽
８２  風呂往きサーミスタ
８４  流路開閉手段
８５  風呂バイパス流路
８６  風呂回路流路切替手段
１０７  仕切り
【図２−２】
2008082633.tif 000003
【図２−３】
2008082633.tif 000004
【図１】
2008082633.tif 000005
【図２−１】
2008082633.tif 000006
【図３】
2008082633.tif 000007
【図４】
2008082633.tif 000008
【図５】
2008082633.tif 000009
【図６】
2008082633.tif 000010